(57)【要約】【課題】振れ出し精度の向上や、締結力及び引き込み力の確保等、ハイドロチャック機構に対して要求される種々の機能に、容易に対応することが可能なホルダ及び切削工具を提供すること。【解決手段】軸線Ｏ回りに回転させられるホルダ本体２と、ホルダ本体２の軸線Ｏ方向の先端部に位置して軸線Ｏ方向に延びる筒状のチャック部７と、チャック部７の周壁の壁内に形成されて軸線Ｏ回りに延びる環状の流体室９と、流体室９に収容された流体の圧力を調整可能な調整部１３と、を備え、チャック部７の周壁のうち、流体室９の径方向内側に隣接する内壁部１８が、流体室９の内圧の上昇に応じて径方向内側へ向けて弾性変形可能とされており、流体室９は、チャック部７の周壁に軸線Ｏ方向に間隔をあけて複数設けられているとともに、これらの流体室９は、互いに連通することなく独立して形成されており、各流体室９に対して調整部１３が設けられる。【選択図】図３
2016175164.tif 000002
【特許請求の範囲】
【請求項１】
軸線回りに回転させられるホルダ本体と、
前記ホルダ本体の軸線方向の先端部に位置して前記軸線方向に延びる筒状のチャック部と、
前記チャック部の周壁の壁内に形成されて前記軸線回りに延びる環状の流体室と、
前記流体室に収容された流体の圧力を調整可能な調整部と、を備え、
前記チャック部の周壁のうち、前記流体室の径方向内側に隣接する内壁部が、前記流体室の内圧の上昇に応じて径方向内側へ向けて弾性変形可能とされており、
前記流体室は、前記チャック部の周壁に前記軸線方向に間隔をあけて複数設けられているとともに、これらの流体室は、互いに連通することなく独立して形成されており、各流体室に対して前記調整部が設けられることを特徴とするホルダ。
【請求項２】
請求項１に記載のホルダであって、
前記チャック部の周壁において、複数の前記流体室に対応して形成された複数の前記内壁部のうち、一の流体室の径方向内側に隣接配置される前記内壁部の厚さが、該一の流体室よりも前記軸線方向の先端側に位置する他の流体室の径方向内側に隣接配置される前記内壁部の厚さよりも、小さくされていることを特徴とするホルダ。
【請求項３】
請求項１又は２に記載のホルダであって、
前記調整部の数は、前記流体室の数に対応しており、
これらの調整部が、前記ホルダ本体において周方向に互いに等間隔をあけて配置されていることを特徴とするホルダ。
【請求項４】
請求項１〜３のいずれか一項に記載のホルダと、
前記ホルダの前記チャック部に挿入される切削軸体と、を備えた切削工具であって、
前記切削軸体は、
切れ刃が形成された刃部と、
前記チャック部に挿入されるシャンク部と、を有し、
前記シャンク部のうち、前記内壁部に対向する部分には、径方向内側に弾性変形した該内壁部が係止可能な形状とされた被係止部が形成されていることを特徴とする切削工具。
【請求項５】
請求項４に記載の切削工具であって、
前記被係止部は、前記シャンク部において先端側へ向かうに従い漸次縮径するテーパ部であることを特徴とする切削工具。
【発明の詳細な説明】
【技術分野】
【０００１】
本発明は、例えばリーマ、ドリル、エンドミル等の切削軸体をハイドロチャック機構により締結し保持するホルダ、及びこれを備えた切削工具に関するものである。
【背景技術】
【０００２】
従来、例えば下記特許文献１に示されるように、エンドミルなどの切削軸体（転削工具）を、チャック部に設けられたハイドロチャック機構により締結し保持するホルダが知られている。
このホルダは、軸線回りに回転させられるホルダ本体と、ホルダ本体の軸線方向の先端部に位置して軸線方向に延びる筒状のチャック部と、チャック部の周壁の壁内に形成されて軸線回りに延びる環状の流体室と、流体室に収容された流体の圧力を調整可能な調整部と、を備えている。
【０００３】
そして、チャック部の周壁のうち、流体室の径方向内側に隣接する内壁部が、流体室の内圧の上昇に応じて径方向内側へ向けて弾性変形することで、この内壁部が、チャック部に挿入された切削軸体を押圧して、チャック部は切削軸体を締結し保持する。
この種のハイドロチャック機構を備えたホルダは、チャック部により切削軸体を保持することで、自然に切削軸体の振れ出し調整（ホルダの軸線に対して切削軸体の中心軸を芯合わせする調整）が行われるため、振れ出し調整作業を実質的になくすことができる。また切削軸体の着脱操作も容易である。
【先行技術文献】
【特許文献】
【０００４】
【特許文献１】国際公開第２０１２／１６０６６４号
【発明の概要】
【発明が解決しようとする課題】
【０００５】
しかしながら、上記従来のホルダでは、例えば振れ出し精度を高い精度に維持したまま、切削軸体に対する締結力や引き込み力（切削軸体をホルダ内部に引き込む力）を増大させることは難しかった。
つまり、ハイドロチャック機構を備えたホルダに対しては、振れ出し精度を高めることや、締結力や引き込み力を高めることなど、種々（複数）の機能が同時に要求されるが、その対応が困難であった。
【０００６】
本発明は、このような事情に鑑みてなされたものであって、例えば振れ出し精度の向上や、締結力及び引き込み力の確保等、ハイドロチャック機構に対して要求される種々の機能に、容易に対応することが可能なホルダ、及びこれを用いた切削工具を提供することを目的としている。
【課題を解決するための手段】
【０００７】
このような課題を解決して、前記目的を達成するために、本発明は以下の手段を提案している。
すなわち、本発明のホルダは、軸線回りに回転させられるホルダ本体と、前記ホルダ本体の軸線方向の先端部に位置して前記軸線方向に延びる筒状のチャック部と、前記チャック部の周壁の壁内に形成されて前記軸線回りに延びる環状の流体室と、前記流体室に収容された流体の圧力を調整可能な調整部と、を備え、前記チャック部の周壁のうち、前記流体室の径方向内側に隣接する内壁部が、前記流体室の内圧の上昇に応じて径方向内側へ向けて弾性変形可能とされており、前記流体室は、前記チャック部の周壁に前記軸線方向に間隔をあけて複数設けられているとともに、これらの流体室は、互いに連通することなく独立して形成されており、各流体室に対して前記調整部が設けられることを特徴とする。
また本発明は、前述のホルダと、前記ホルダの前記チャック部に挿入される切削軸体と、を備えた切削工具であって、前記切削軸体は、切れ刃が形成された刃部と、前記チャック部に挿入されるシャンク部と、を有し、前記シャンク部のうち、前記内壁部に対向する部分には、径方向内側に弾性変形した該内壁部が係止可能な形状とされた被係止部が形成されていることを特徴とする。
【０００８】
本発明のホルダでは、ホルダ本体のチャック部の周壁の内部（壁内）に、軸線方向に間隔をあけて複数の流体室が設けられている。また、これらの流体室は、互いに連通することなくそれぞれ独立して形成されているとともに、各流体室に対応して調整部が設けられている。つまりこのホルダは、チャック部の周壁内に、互いに独立して内圧調整可能な複数の流体室を有している。
本発明のホルダ及びこれを用いた切削工具によれば、このような特別なハイドロチャック機構を備えたことにより、下記の顕著な作用効果を奏する。
【０００９】
すなわち、このホルダのチャック部に、例えばリーマ、ドリル、エンドミル等の刃部を備えた切削軸体（転削工具）を挿入し、該切削軸体のシャンク部（基端部）をチャック部により締結するにあたり、流体室の数に応じて複数の機能を付与することができる。
【００１０】
具体的には、複数の流体室のうち、一の流体室においては、主として切削軸体に対するチャック部の締結力や引き込み力を確保（増大）する機能を付与することができる。
詳しくは、例えば、この流体室の径方向内側の内壁部を薄肉に形成して、該内壁部の弾性変形量を大きく確保したり、流体室の内圧を高く設定したりすることにより、切削軸体を押圧する力を高めて締結力や引き込み力を十分に確保することができる。
【００１１】
さらに、切削軸体のシャンク部に例えばテーパ部や凹部等の被係止部を形成しておき、該被係止部に対して、弾性変形した内壁部が係止可能に構成して、締結力や引き込み力を高めることも可能である。
なお、ここでいう上記「係止可能」とは、内壁部が弾性変形してシャンク部の被係止部を径方向内側へ向けて押圧したときに、例えば単なる円柱外周面とされたシャンク部を押圧する場合に比べて、より大きな締結力が得られたり、シャンク部に対して軸線方向の基端側へ向けた力（引き込み力）を発生させることができたり、シャンク部の軸線方向や周方向への移動を規制することができることを指す。
また、本明細書でいう上記「引き込み力」とは、チャック部に対して切削軸体を抜け止めする向きの力であり、具体的には、チャック部に対して切削軸体を、ホルダ本体の軸線方向の基端側へ向けて（つまりホルダ本体の内部へ向けて）引き込む力である。
【００１２】
また、複数の流体室のうち、上記一の流体室とは異なる他の流体室においては、主として切削軸体の振れ出し精度を高める機能（振れ出し調整機能）を付与することができる。
詳しくは、例えば、この流体室の径方向内側の内壁部を厚肉に形成して、該内壁部の弾性変形量を小さく抑え、かつ、この弾性変形量が周方向に一定となるように構成することにより、振れ出し調整を容易にして、振れ出し精度を高めることができる。
なお、本明細書でいう「振れ出し調整」とは、ホルダの軸線に対して切削軸体の中心軸を同軸に芯合わせするための調整であり、「振れ出し精度」とは、この芯合わせの精度（同軸度の精度）である。
そして本発明では、複雑な操作を必要とすることなく、単にチャック部に切削軸体をチャック（把持し固定）する操作のみによって、この切削軸体の中心軸をホルダ本体の軸線に精度よく芯合わせすることができる。つまり、チャック部が切削軸体を保持することにより、自然に振れ出し調整が行われるため、振れ出し調整作業は実質的に不要である。
【００１３】
以上のように、本発明によれば、チャック部の複数の流体室に対してそれぞれ異なる機能を付与することが可能であり、これにより、ハイドロチャック機構に対して要求される種々の機能に、容易に対応することが可能である。
【００１４】
また、本発明のホルダにおいて、前記チャック部の周壁において、複数の前記流体室に対応して形成された複数の前記内壁部のうち、一の流体室の径方向内側に隣接配置される前記内壁部の厚さが、該一の流体室よりも前記軸線方向の先端側に位置する他の流体室の径方向内側に隣接配置される前記内壁部の厚さよりも、小さくされていることとしてもよい。
【００１５】
この場合、複数の流体室のうち、径方向内側に隣接する内壁部の厚さが薄く設定された一の流体室には、主として切削軸体に対するチャック部の締結力や引き込み力を高める機能を付与しやすくなる。また、複数の流体室のうち、径方向内側に位置する内壁部の厚さが厚く設定された他の流体室には、主として振れ出し精度を高める機能（振れ出し調整機能）を付与しやすくなる。
【００１６】
より詳しくは、一の流体室を、チャック部の周壁における軸線方向の先端部以外の部位（先端部よりも基端側に位置する領域）に配置できるため、この一の流体室の径方向内側に隣接する内壁部を、例えば軸線方向に長く形成することが可能になり、締結力や引き込み力を確実に高めることができる。
また、他の流体室を、チャック部の周壁における軸線方向の先端部に配置できるため、切削軸体の刃部に近い位置で振れ出し調整が行われて、切削軸体の振れ出し精度を確実に高めることができる。
このように、上述した本発明の優れた作用効果を、より確実で顕著なものとすることができる。
【００１７】
また、本発明のホルダにおいて、前記調整部の数は、前記流体室の数に対応しており、これらの調整部が、前記ホルダ本体において周方向に互いに等間隔をあけて配置されていてもよい。
【００１８】
上記構成によれば、複数の流体室に応じて複数の調整部が設けられているので、各流体室の内圧の調整が、精度よく簡単に行える。
そして、これらの調整部が、ホルダ本体において周方向に互いに等間隔に配置されているので、ホルダ本体の回転バランスが安定し、振れ出し精度への影響が抑えられる。
【００１９】
また、本発明の切削工具において、前記被係止部は、前記シャンク部において先端側へ向かうに従い漸次縮径するテーパ部であることとしてもよい。
【００２０】
この場合、シャンク部のテーパ部（被係止部）を、チャック部の内壁部が弾性変形し押圧することにより、ホルダ内部へ向けた切削軸体の引き込み力を確実に発生させることができる。
【発明の効果】
【００２１】
本発明のホルダ及びこれを備えた切削工具によれば、例えば振れ出し精度の向上や、締結力及び引き込み力の確保等、ハイドロチャック機構に対して要求される種々の機能に、容易に対応することが可能である。
【図面の簡単な説明】
【００２２】
【図１】本発明の一実施形態に係るハイドロチャック機構を備えたホルダ、及びこのホルダを用いた切削工具の斜視図である。
【図２】図１の切削工具を先端から基端側へ向けて見た正面図である。
【図３】図１の切削工具の側面図であり、本発明の要部を部分的に縦断面として表している。
【図４】図１の切削工具の側面図であり、図３とは周方向の反対側（軸線を挟んだ反対側）からこの切削工具を見た図である。
【図５】図３のＶ部を拡大して示す図である。
【図６】図１の切削工具の切削軸体（リーマ）を示す（ａ）側面図、（ｂ）背面図（切削軸体を基端から先端側へ向けて見た図）である。
【発明を実施するための形態】
【００２３】
以下、本発明の一実施形態に係るハイドロチャック機構を備えたホルダ１０、及びこのホルダ１０を用いた切削工具１について、図面を参照して説明する。
【００２４】
〔ホルダ及び切削工具の概略構成〕
本実施形態の切削工具１は、マシニングセンタ等の工作機械の主軸に着脱可能に取り付けられて軸線Ｏ回りに回転させられるホルダ１０と、ホルダ１０のチャック部７に挿入されて該チャック部７に保持される切削軸体（転削工具）３と、を備えている。
本実施形態の例では、切削軸体３として、リーマが用いられている。ただしこれに限定されるものではなく、切削軸体３は、例えばドリル、エンドミル等のリーマ以外の転削工具であってもよい。
【００２５】
図１〜図５に示されるように、ホルダ１０は、軸線Ｏ回りに回転させられるホルダ本体２と、ホルダ本体２の軸線Ｏ方向の先端部に位置して軸線Ｏ方向に延びる筒状のチャック部７と、チャック部７の周壁の壁内に形成されて軸線Ｏ回りに延びる環状の流体室９と、流体室９に収容された流体の圧力を調整可能な調整部１３と、を備えている。
チャック部７の中心軸及び流体室９の中心軸は、ホルダ本体２の軸線Ｏ上に一致させられており、これらは互いに同軸に配置されている。
【００２６】
本実施形態のホルダ１０は、チャック部７の周壁のうち、流体室９の径方向内側に隣接する内壁部（チャック部７の周壁の内壁のうち、流体室９の径方向内側に位置して流体室９の内面の一部を画成している部分）１８が、流体室９の内圧の上昇に応じて径方向内側へ向けて弾性変形可能とされており、該内壁部１８が切削軸体３の外周面を押圧することにより、チャック部７が切削軸体３を締結し保持するように構成された、ハイドロチャック機構を備えている。
【００２７】
〔本明細書で用いる向き（方向）の定義〕
本明細書においては、ホルダ本体２の軸線Ｏ方向に沿うチャック部７側（図３及び図４における下方）を先端側といい、軸線Ｏ方向に沿うチャック部７とは反対側（工作機械の主軸に取り付けられる後述の取付部８側、図３及び図４における上方）を基端側という。
また、軸線Ｏに直交する方向を径方向といい、径方向のうち、軸線Ｏに接近する向きを径方向の内側といい、軸線Ｏから離間する向きを径方向の外側という。
また、軸線Ｏ回りに周回する方向を周方向といい、周方向のうち、被削材を切削加工する際に工作機械の主軸によりホルダ本体２が回転させられる向きを工具回転方向Ｔといい、これとは反対の回転方向を、工具回転方向Ｔとは反対側（反工具回転方向）という。
【００２８】
〔ホルダ本体〕
図１〜図４において、ホルダ本体２は、鋼材等により形成されており、多段円柱状をなしている。
ホルダ本体２の基端側の端部には、このホルダ本体２を工作機械の主軸に取り付けるための取付部８が設けられている。取付部８の形状は、主軸の形状に対応しており、図示の例ではテーパ状の外周面やキー溝等が形成されている。
ホルダ１０は、取付部８が工作機械の主軸に把持された状態で、工具回転方向Ｔに回転させられる。
【００２９】
ホルダ本体２のうち、取付部８の先端側に隣接する部分は、該ホルダ本体２において最も大径に形成された大径部１４となっている。大径部１４には、工作機械の主軸に対してホルダ本体２を着脱する際に該ホルダ本体２を把持するために用いられる係止凹部等が形成されている。
【００３０】
ホルダ本体２のうち、大径部１４とチャック部７の間に位置する部分は、大径部１４よりも小径とされ、チャック部７よりも大径に形成された中径部１５となっている。本実施形態の例では、ホルダ本体２の中径部１５に、流体室９の内圧を調整する調整部１３が配置されている。ただしこれに限定されるものではなく、調整部１３は、ホルダ本体２における中径部１５以外の部分に配置されていてもよい。調整部１３については、別途後述する。
また、上記チャック部７は、ホルダ本体２において最も小径に形成された小径部となっている。
【００３１】
なお、ホルダ本体２の内部には、例えば工作機械の主軸からホルダ１０に対して供給されるクーラント（油性又は水溶性の切削液剤、或いは圧縮エア）が流通するクーラント流路が形成されていてもよい。この場合、クーラント流路は、切削軸体３の刃部５に向けて開口される。
【００３２】
〔チャック部〕
図３及び図５に示されるように、チャック部７の周壁は、ホルダ本体２に一体に形成された外筒１６と、外筒１６の径方向内側に嵌合する内筒１７と、を備えている。また、内筒１７の径方向内側には、切削軸体３のシャンク部６が嵌合する。
【００３３】
外筒１６は、有頂筒状をなしており、該外筒１６の天井壁（外筒１６に軸線Ｏ方向に延びて形成された止め穴において先端側を向く面）には、内筒１７の基端面が当接している。そして、外筒１６と内筒１７の間に、流体室９が液密に画成されている。
本実施形態では、外筒１６が、チャック部７の周壁のうち外壁とされ、内筒１７が、チャック部７の周壁のうち内壁とされている。
【００３４】
外筒１６の外周面は、中径部１５から先端側へ向かうに従い漸次縮径するテーパ状に形成されている。外筒１６の内周面は、軸線Ｏ方向に沿って一定の内径とされている。
内筒１７の外周面には、該外周面から径方向内側に窪むとともに周方向に沿って延びる環状溝が形成されており、この環状溝と、該環状溝の径方向外側に対向配置される外筒１６の内周面部分とに囲まれて画成された室が、流体室９とされている。内筒１７の内周面は、流体室９の内圧が所定値以下である場合には、軸線Ｏ方向に沿って一定の内径とされている。
【００３５】
内筒１７のうち、流体室９の径方向内側に隣接配置された部分である内壁部１８は、該内壁部１８以外の部位よりも薄肉に形成されており、弾性変形可能である。内壁部１８は、流体室９に充填された油等の流体の圧力が、所定値よりも高められたときに、径方向内側へ向けて弾性変形する。また、この高められた圧力が解除され、流体室９の流体の圧力が所定値以下にまで戻ると、内壁部１８は径方向外側へ向けて復元変形する。
【００３６】
また、本実施形態の例では、内筒１７の外周面に形成された環状溝における先端部（図５における環状溝の下端部）及び基端部（図５における環状溝の上端部）が、それぞれテーパ状に形成されており、これにより環状溝は、径方向外側へ向かうに従い（溝底から溝の開口部へ向かうに従い）、漸次軸線Ｏ方向の幅（溝幅）が大きくされている。
【００３７】
特に図示していないが、外筒１６と内筒１７の間には、これら筒１６、１７同士の間の液密性を確保する目的で、Ｏリング等のシール部材が設けられていてもよい。この場合、シール部材は、外筒１６と内筒１７の間のうち、流体室９以外の部位に配設される。なお、シール部材は、軸線Ｏ方向に間隔をあけて複数設けられていてもよい。
【００３８】
また、本実施形態では、チャック部７の周壁として、外筒１６と内筒１７が互いに別体に形成され、これらが液密に嵌合する構成を例に挙げて説明しているが、これに限定されるものではない。つまり、これら外筒１６と内筒１７を別体に形成せずに、一体に形成してもよい。この場合、例えば、チャック部７の周壁における外壁と内壁の間に対応する部分に、チャック部７の先端面から基端側へ向けて環状溝を形成し、該先端面に対して別の筒状部材を溶接やろう付け等により接合することにより、環状溝の先端側の開口を塞いで流体室９としてもよい。
つまり、流体室９は、チャック部７の周壁の壁内（内部）において周方向に沿って延びる環状に形成されていればよく、チャック部７の周壁を構成する単一筒（一重筒）、二重筒等の態様については、種々に選択可能である。
【００３９】
〔流体室〕
そして、チャック部７の周壁において流体室９は、軸線Ｏ方向に間隔をあけて複数設けられている。また、これらの流体室９は、互いに連通することなくそれぞれ独立して形成されている。
本実施形態では、複数の流体室９として、一の流体室である第１流体室１１と、上記一の流体室とは軸線Ｏ方向の位置が異なって配置された（具体的には一の流体室よりも先端側に配置された）、他の流体室である第２流体室１２と、が設けられている。
【００４０】
チャック部７の周壁において、複数の流体室９に対応して形成された複数の内壁部１８のうち、第１流体室１１の径方向内側に隣接配置される内壁部２１の厚さ（径方向の厚さ）は、該第１流体室１１よりも軸線Ｏ方向の先端側に位置する第２流体室１２の径方向内側に隣接配置される内壁部２２の厚さよりも、小さくされている。
本実施形態においては、内壁部２１の厚さの、内壁部２２の厚さに対する比が、１／２程度とされている。ただし上記比は、１／２程度に限定されるものではない。
【００４１】
図５に示される例では、第１流体室１１の径方向内側に位置する内壁部２１の軸線Ｏ方向に沿う長さが、第２流体室１２の径方向内側に位置する内壁部２２の軸線Ｏ方向に沿う長さよりも、大きくされている。
また、第１流体室１１に収容される流体の内容量が、第２流体室１２に収容される流体の内容量よりも、大きくされている。
【００４２】
内壁部２１は、第１流体室１１のうち先端部及び基端部以外の中間部（先端部と基端部の間に位置する中間領域）に対応する部分では、軸線Ｏ方向に沿って一定の厚さに形成されている。内壁部２２は、第２流体室１２のうち先端部及び基端部以外の中間部（同上）に対応する部分では、軸線Ｏ方向に沿って一定の厚さに形成されている。
【００４３】
〔調整部〕
図３に示されるように、ホルダ本体２には、各流体室９に対して調整部１３が設けられている。本実施形態においては、調整部１３が、複数の流体室９に対応して複数設けられている。
【００４４】
具体的には、これらの調整部１３として、第１流体室（一の流体室）１１に連通して該第１流体室１１の内圧を調整可能な調整部（一の調整部）３１と、第２流体室（他の流体室）１２に連通して該第２流体室１２の内圧を調整可能な調整部（他の調整部）３２と、が設けられている。つまり、本実施形態の調整部１３の数は、流体室９の数に対応して２つである。
【００４５】
調整部１３は、ホルダ本体２の中径部１５に形成された雌ネジ穴と、この雌ネジ穴に螺着するとともに、該雌ネジ穴の内部に収容される雄ネジ（圧力調整ネジ）と、を備えている。調整部１３の雌ネジ穴の内部と、流体室９とは、互いに連通している。
【００４６】
具体的には、複数の調整部１３のうち、調整部３１の雌ネジ穴の内部と、第１流体室１１とが、ホルダ本体２の内部に形成された連絡流路４１を通して連通している。より詳しくは、図５に示されるように、チャック部７の周壁の外筒１６と内筒１７の間には、第１流体室１１の基端側（図５における上方）に隣接する部分に僅かな隙間が設けられており、調整部３１の雌ネジ穴の内部と第１流体室１１とは、連絡流路４１及び前記隙間を通して、互いに連通している。
【００４７】
また図３において、複数の調整部１３のうち、調整部３２の雌ネジ穴の内部と、第２流体室１２とが、ホルダ本体２の内部に形成された連絡流路４２を通して連通している。
なお、調整部３１、３２の雌ネジ穴の内部（雄ネジにより塞がれた部分）、連絡流路４１、４２及び前記隙間には、第１流体室１１及び第２流体室１２と同様に油等の流体が充填されている。
【００４８】
従って、調整部３１の雄ネジ（一の圧力調整ネジ）を締め込むことにより、第１流体室１１の内圧が所定値よりも高められる。また、調整部３１の雄ネジを緩めることにより、第１流体室１１の内圧が所定値以下に低下する。
また、調整部３２の雄ネジ（他の圧力調整ネジ）を締め込むことにより、第２流体室１２の内圧が所定値よりも高められる。また、調整部３２の雄ネジを緩めることにより、第２流体室１２の内圧が所定値以下に低下する。
つまり、調整部１３の雌ネジ穴に対する雄ネジのねじ込み量を調整することにより、流体室９内の流体の圧力（内圧）が増大又は減少するように構成されている。
【００４９】
そして、これらの調整部３１、３２は、ホルダ本体２において周方向に互いに等間隔をあけて配置されている。具体的に、調整部３１、３２は、互いに軸線Ｏに関して回転対称に配置され、かつ、互いに同一形状に形成されている。
また、連絡流路４１、４２については、互いに軸線Ｏに関して回転対称には配置されておらず、また互いに異なる形状に形成されている。
【００５０】
〔切削軸体〕
図２〜図６（ａ）（ｂ）に示されるように、切削軸体３は、被削材に切り込む切れ刃４が形成された刃部５と、刃部５よりも基端側に配置されてチャック部７に挿入されるシャンク部６と、を有している。
切れ刃４は、刃部５における先端側の端縁や径方向外側の端縁に配置されており、工具回転方向Ｔを向いている。本実施形態の例では、切削軸体３がリーマであり、切れ刃４は刃部５における少なくとも径方向外側の端縁に配置されている。
【００５１】
切削軸体３のシャンク部６は、チャック部７の周壁に対して、その径方向内側に取り外し可能に嵌合する。なお、チャック部７の周壁の内周面と、シャンク部６の外周面との間には、僅かな隙間（調整代）が設けられている。また、シャンク部６がチャック部７に嵌合した際、切削軸体３の刃部５は、チャック部７から先端側へ向けて突出させられる。
【００５２】
切削軸体３は、多段円柱状（多段軸状）をなしており、少なくともその先端部に配置される刃部５の切れ刃４が、超硬合金等の硬質材料により形成される。切削軸体３の刃部５の中心軸とシャンク部６の中心軸は、互いに同軸に配置される。
本明細書では、切削軸体３の中心軸（軸線）を、上述したホルダ本体２の軸線Ｏとは区別して、中心軸Ｏａという。つまり、切削軸体３において、中心軸Ｏａ方向に沿ってシャンク部６から刃部５側へ向かう方向が先端側であり、刃部５からシャンク部６側へ向かう方向が基端側である。
【００５３】
なお、本実施形態のホルダ１０が有するハイドロチャック機構は、ホルダ本体２の軸線Ｏに対して、切削軸体３の中心軸Ｏａを同軸に芯合わせする機能（振れ出し調整機能）を有している。従って、切削軸体３がチャック部７に嵌合し、ハイドロチャック機構により締結されたときに、中心軸Ｏａと軸線Ｏとは、実質的に同軸に配置されることとなる（互いに一致させられる）。
【００５４】
図６（ａ）に示される例では、シャンク部６の外径は、刃部５の外径よりも大きくなっている。具体的に、シャンク部６のうち、最も先端側に位置して刃部５の基端側に隣接配置されるシャンク先端部１９は、該シャンク先端部１９以外の部位（シャンク先端部１９の基端側に位置する部位）よりも大径とされている。
【００５５】
図３〜図５に示されるように、切削軸体３がチャック部７に装着された際に、シャンク先端部１９の基端面は、チャック部７の周壁の先端面に当接する。また、切削軸体３の基端面（シャンク部６の基端面）と、チャック部７の外筒１６の天井壁との間には、若干の隙間が設けられる。
シャンク先端部１９の基端面がチャック部７の周壁の先端面に当接することにより、チャック部７に対する切削軸体３の、それ以上の基端側へ向けた移動が規制される。
【００５６】
図６（ａ）において、シャンク部６のうち、シャンク先端部１９よりも基端側に位置する部分には、チャック部７の周壁の内壁部１８が係止可能な形状とされた被係止部が形成されている。
なお、ここでいう上記「係止可能」とは、内壁部１８が弾性変形してシャンク部６の被係止部を径方向内側へ向けて押圧したときに、例えば単なる円柱外周面とされたシャンク部６を押圧する場合に比べて、より大きな締結力が得られたり、シャンク部６に対して基端側へ向けた力（引き込み力）を発生させることができたり、シャンク部６の中心軸Ｏａ（軸線Ｏ）方向や周方向への移動を規制することができることを指す。
【００５７】
本実施形態においては、この被係止部として、中心軸Ｏａ方向の基端から先端側へ向かうに従い漸次縮径するテーパ部２０が形成されている。本実施形態の例では、テーパ部２０が、シャンク部６の基端部に配置されている。
【００５８】
図５に示されるように、本実施形態の例では、テーパ部２０が、シャンク部６のうち、チャック部７の周壁の内壁部２１に対向する部分に形成されている。そして、このテーパ部２０に対して、径方向内側に弾性変形した内壁部２１が係止可能である。具体的には、弾性変形した内壁部２１が、テーパ部２０を径方向内側へ向けて押圧することにより、切削軸体３をチャック部７に対して基端側（ホルダ本体２の内部）へ向けて引き込む引き込み力が発生するようになっている。
【００５９】
なお、シャンク部６の被係止部として、本実施形態で説明したテーパ部２０を設ける代わりに、又はこれとともに、シャンク部６の外周面から窪むディンプル状や溝状等の凹部を形成してもよい。また、シャンク部６の外周面の表面粗さを、所定値以上に粗く設定することにより摩擦抵抗を増大させて、被係止部を形成してもよい。
また、シャンク部６のうち、内壁部２２に対向する部分には、被係止部は形成されておらず、この部分は単なる円柱外周面に形成されている。
【００６０】
〔切削軸体をチャック部に装着する手順〕
次に、本実施形態のホルダ本体２のチャック部７に、切削軸体３のシャンク部６を装着する手順について説明する。
図３及び図５において、まず、チャック部７の周壁の径方向内側に、切削軸体３のシャンク部６を挿入するとともに、該シャンク部６のシャンク先端部１９における基端面を、チャック部７の周壁の先端面に当接させる。
【００６１】
次いで、複数の調整部１３のうち、一の調整部３１の雄ネジを締め込むことにより、第１流体室１１の内圧を増大させる。これにより、第１流体室１１に隣接する内壁部２１が径方向内側に弾性変形して、シャンク部６のテーパ部２０近傍に押圧される。
この内壁部２１の押圧領域では、主として切削軸体３に対するチャック部７の締結力及び引き込み力が高められるようになっている。
【００６２】
なお、本明細書でいう上記「引き込み力」とは、チャック部７に対して切削軸体３を抜け止めする向きの力であり、具体的には、チャック部７に対して切削軸体３を、ホルダ本体２の軸線Ｏ方向の基端側へ向けて（つまりホルダ本体２の内部へ向けて）引き込む力である。
【００６３】
次いで、複数の調整部１３のうち、他の調整部３２の雄ネジを締め込むことにより、第２流体室１２の内圧を増大させる。これにより、第２流体室１２に隣接する内壁部２２が径方向内側に弾性変形して、シャンク部６においてテーパ部２０よりも先端側に位置する円柱外周面に押圧される。
なお、第２流体室１２の内圧の上昇による内壁部２２の径方向内側へ向けた弾性変形量は、上述した第１流体室１１の内圧の上昇による内壁部２１の径方向内側へ向けた弾性変形量に比べて、小さく設定される。
この内壁部２２の押圧領域では、主としてホルダ本体２の軸線Ｏに対する切削軸体３の中心軸Ｏａの振れ出し精度を高める調整（振れ出し調整）が行える。
【００６４】
なお、本明細書でいう「振れ出し調整」とは、ホルダ１０の軸線Ｏに対して切削軸体３の中心軸Ｏａを同軸に芯合わせするための調整であり、「振れ出し精度」とは、この芯合わせの精度（同軸度の精度）である。
【００６５】
また、切削軸体３をチャック部７から取り外す際は、調整部３１、３２の各雄ネジを緩めればよい。これにより、第１流体室１１及び第２流体室１２の内圧が低下するとともに、切削軸体３に対するチャック部７の締結が解除されて、切削軸体３を取り外すことができる。
【００６６】
なお、本実施形態では、上述したチャック部７に対する切削軸体３の着脱作業を、ホルダ本体２を工作機械の主軸に装着した状態のまま、行うことができるようになっている。
【００６７】
〔本実施形態による作用効果〕
以上説明した本実施形態のホルダ１０では、ホルダ本体２のチャック部７の周壁の内部（壁内）に、軸線Ｏ方向に間隔をあけて複数の流体室９が設けられている。また、これらの流体室９は、互いに連通することなくそれぞれ独立して形成されているとともに、各流体室９に対応して調整部１３が設けられている。つまりこのホルダ１０は、チャック部７の周壁内に、互いに独立して内圧調整可能な複数の流体室９を有している。
本実施形態のホルダ１０及びこれを用いた切削工具１によれば、このような特別なハイドロチャック機構を備えたことにより、下記の顕著な作用効果を奏する。
【００６８】
すなわち、このホルダ１０のチャック部７に、例えば本実施形態で説明したリーマや、それ以外のドリル、エンドミル等の刃部５を備えた切削軸体（転削工具）３を挿入し、該切削軸体３のシャンク部６をチャック部７により締結するにあたり、流体室９の数に応じて複数の機能を付与することができる。
【００６９】
具体的には、複数の流体室９のうち、一の流体室である第１流体室１１においては、主として切削軸体３に対するチャック部７の締結力や引き込み力を確保（増大）する機能を付与することができる。
詳しくは、例えば本実施形態で説明したように、第１流体室１１の径方向内側の内壁部２１を薄肉に形成して、該内壁部２１の弾性変形量を大きく確保したり、第１流体室１１の内圧を高く設定したりすることにより、切削軸体３を押圧する力を高めて締結力や引き込み力を十分に確保することができる。
なお、本実施形態では、内壁部２１の軸線Ｏ方向の長さが大きくされているため、該内壁部２１の径方向内側へ向けた弾性変形量をより大きく確保しやすくなって、上述の締結力や引き込み力を高める効果が格別顕著なものとなる。
【００７０】
さらに、切削軸体３のシャンク部６に例えばテーパ部２０や凹部等の被係止部を形成しておき、該被係止部に対して、弾性変形した内壁部２１が係止可能に構成して、締結力や引き込み力を高めることも可能である。
【００７１】
また、複数の流体室９のうち、上記一の流体室とは異なる他の流体室である第２流体室１２においては、主として切削軸体３の振れ出し精度を高める機能（振れ出し調整機能）を付与することができる。
詳しくは、例えば本実施形態で説明したように、第２流体室１２の径方向内側の内壁部２２を厚肉に形成して、該内壁部２２の弾性変形量を小さく抑え、かつ、この弾性変形量が周方向に一定となるように構成することにより、振れ出し調整を容易にして、振れ出し精度を高めることができる。
なお、本実施形態では、複雑な操作を必要とすることなく、単にチャック部７に切削軸体３をチャック（把持し固定）する操作のみによって、この切削軸体３の中心軸Ｏａをホルダ本体２の軸線Ｏに精度よく芯合わせすることができる。つまり、チャック部７が切削軸体３を保持することにより、自然に振れ出し調整が行われるため、振れ出し調整作業は実質的に不要である。
【００７２】
以上のように、本実施形態によれば、チャック部７の複数の流体室９に対してそれぞれ異なる機能を付与することが可能であり、これにより、ハイドロチャック機構に対して要求される種々の機能に、容易に対応することが可能である。
【００７３】
また、本実施形態では、チャック部７の周壁において、複数の流体室９に対応して形成された複数の内壁部１８のうち、第１流体室１１の径方向内側に隣接配置される内壁部２１の厚さが、該第１流体室１１よりも軸線Ｏ方向の先端側に位置する第２流体室１２の径方向内側に隣接配置される内壁部２２の厚さよりも、小さくされているので、下記の作用効果を奏する。
【００７４】
すなわちこの場合、複数の流体室９のうち、径方向内側に隣接する内壁部２１の厚さが薄く設定された第１流体室１１には、主として切削軸体３に対するチャック部７の締結力や引き込み力を高める機能を付与しやすくなる。また、複数の流体室９のうち、径方向内側に位置する内壁部２２の厚さが厚く設定された第２流体室１２には、主として振れ出し精度を高める機能（振れ出し調整機能）を付与しやすくなる。
【００７５】
より詳しくは、第１流体室１１を、チャック部７の周壁における軸線Ｏ方向の先端部以外の部位（先端部よりも基端側に位置する領域）に配置できるため、この第１流体室１１の径方向内側に隣接する内壁部２１を、例えば軸線Ｏ方向に長く形成することが可能になり、締結力や引き込み力を確実に高めることができる。
また、第２流体室１２を、チャック部７の周壁における軸線Ｏ方向の先端部に配置できるため、切削軸体３の刃部５に近い位置で振れ出し調整が行われて、切削軸体３の振れ出し精度を確実に高めることができる。
このように、上述した本実施形態の優れた作用効果を、より確実で顕著なものとすることができる。
【００７６】
また、本実施形態では、調整部１３の数が、流体室９の数に対応しており、これらの調整部１３が、ホルダ本体２において周方向に互いに等間隔をあけて配置されているので、下記の作用効果を奏する。
すなわち上記構成によれば、複数の流体室９に応じて複数の調整部１３が設けられているので、各流体室９の内圧の調整が、精度よく簡単に行える。
そして、これらの調整部１３が、ホルダ本体２において周方向に互いに等間隔に配置されているので、ホルダ本体２の回転バランスが安定し、振れ出し精度への影響が抑えられる。
【００７７】
また、本実施形態では、切削軸体３のシャンク部６に設けられた被係止部が、このシャンク部６において基端から先端側へ向かうに従い漸次縮径するテーパ部２０であるので、該テーパ部２０を、チャック部７の内壁部２１が弾性変形し押圧することにより、ホルダ１０内部へ向けた切削軸体３の引き込み力を確実に発生させることができる。
【００７８】
また、チャック部７の周壁が、ホルダ本体２に一体に形成された外筒（外壁）１６と、外筒１６の径方向内側に液密に嵌合される内筒（内壁）１７と、を備えており、複数の流体室９が、これら外筒１６と内筒１７との間に形成されていることから、チャック部７の周壁を簡単な構成としつつ、流体室９を所望形状に精度よく形成できる。
【００７９】
〔本発明に含まれるその他の構成〕
なお、本発明は前述の実施形態に限定されるものではなく、本発明の趣旨を逸脱しない範囲において種々の変更を加えることが可能である。
【００８０】
例えば、前述の実施形態では、複数の流体室９に対応して形成された複数の内壁部１８のうち、軸線Ｏ方向の基端側に位置する内壁部２１の厚さが、先端側に位置する内壁部２２の厚さよりも小さくされているとしたが、これに限定されるものではない。すなわち、内壁部２１の厚さは、内壁部２２の厚さと同等であってもよいし、内壁部２２の厚さよりも大きくてもよい。
【００８１】
詳しくは、前述の実施形態では、切削軸体３がリーマであり、これに応じて、チャック部７の周壁において基端側に位置する第１流体室１１に対しては、主として締結力や引き込み力を高める機能を付与し、先端側に位置する第２流体室１２に対しては、主として振れ出し調整機能を付与することとした。しかしながら、各流体室９に要求される機能は、切削軸体３の種類や態様によって種々様々であり一様ではないため、それぞれの流体室９に対して付与する機能についても、切削軸体３に応じて種々様々に選択してよい。
【００８２】
また、前述の実施形態では、流体室９の数が２つ（第１流体室１１及び第２流体室１２）とされているが、流体室９の数は２つに限定されるものではない。すなわち、流体室９は、チャック部７の周壁において軸線Ｏ方向に間隔をあけて、３つ以上設けられていてもよい。この場合も、流体室９同士は互いに連通することなく、それぞれ独立して形成され、各流体室９に対して、調整部１３が設けられる。
【００８３】
また、前述の実施形態では、複数の調整部３１、３２が、ホルダ本体２において周方向に等間隔をあけて配置されているとしたが、これに限定されるものではなく、不等間隔をあけて配置してもよい。また、これらの調整部３１、３２同士が、互いに異なる構成（形状や大きさ等）とされていてもよい。なお、この場合、複数の調整部３１、３２及び複数の連絡流路４１、４２を含めた総合的なホルダ本体２の回転バランスを考慮して、ホルダ本体２に複数の調整部３１、３２及び複数の連絡流路４１、４２を配置することが好ましい。
【００８４】
また、前述の実施形態では、切削軸体３のシャンク部６に、チャック部７の周壁の内壁部２１が係止可能な被係止部が形成されているとしたが、被係止部は設けられていなくてもよい。つまり本発明は、チャック部７の周壁において軸線Ｏ方向に間隔をあけて、複数の流体室９が互いに連通することなく独立して設けられるという特別な構成により、上述したように、従来では得られなかった顕著な作用効果を奏するものであり、切削軸体３の被係止部は必須の構成ではない。
【００８５】
また、前述の実施形態では、流体室９、調整部１３及びこれらを接続する流路（連絡流路４１、４２等）に油等の流体が充填されているとしたが、この流体の種類については、流体室９の内圧が高められたときに内壁部１８を径方向内側に向けて弾性変形させることが可能なものであればよいことから、油等に限定されるものではない。
【００８６】
また、本発明の切削工具は、例えばバルブフィニッシャーであってもよい。この場合、チャック部７の外周面、又はチャック部７の径方向外側に嵌合する筒状のヘッド部材の外周面に、被削材の下穴（ステムガイド穴）の開口部をバルブシートに加工するための切れ刃が設けられる。そして、バルブフィニッシャーは、リーマからなる切削軸体３により被削材の下穴の切削加工（仕上げ加工）を行いつつ、前記切れ刃によりこの下穴の開口部をテーパ状に切削加工する。
【００８７】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００８８】
１  切削工具
２  ホルダ本体
３  切削軸体（転削工具）
４  切れ刃
５  刃部
６  シャンク部
７  チャック部
９  流体室
１０  ホルダ
１１  第１流体室（一の流体室）
１２  第２流体室（他の流体室）
１３  調整部
１８  内壁部
２０  テーパ部（被係止部）
２１  第１流体室の径方向内側に隣接配置される内壁部
２２  第２流体室の径方向内側に隣接配置される内壁部
３１  第１流体室の調整部（一の調整部）
３２  第２流体室の調整部（他の調整部）
Ｏ  軸線
【図１】
2016175164.tif 000003
【図２】
2016175164.tif 000004
【図３】
2016175164.tif 000005
【図４】
2016175164.tif 000006
【図５】
2016175164.tif 000007
【図６】
2016175164.tif 000008